(57)【特許請求の範囲】
【請求項１】
特定のチャネルを介してコンテンツを放送する送信機であって、
前記コンテンツに、前記コンテンツと同じまたは関連性がある他のコンテンツの放送に前記特定のチャネルと並行して供される他のチャネルに個別に付与されたユニークな素数の積を多重化して、前記特定のチャネルを介した放送の対象とする多重化手段を備えた
ことを特徴とする送信機。
【請求項２】
特定のチャネルを介してコンテンツを放送する送信機であって、
前記コンテンツに、前記コンテンツと同じまたは関連性がある他のコンテンツの放送に前記特定のチャネルと並行して供される他のチャネルと、前記特定のチャネルとに個別に付与されたユニークな素数の積を多重化して、前記特定のチャネルを介した放送の対象とする多重化手段を備えた
ことを特徴とする送信機。
【請求項３】
特定のチャネルを介してコンテンツを放送する送信機であって、
前記コンテンツに、前記コンテンツと同じまたは関連性がある他のコンテンツの放送に前記特定のチャネルと並行して供される他のチャネルに個別に付与されたユニークな素数の積の通知または掲載を行うウェブサイトのＵＲＬを多重化して、前記特定のチャネルを介した放送の対象とする多重化手段を備えた
ことを特徴とする送信機。
【請求項４】
特定のチャネルを介してコンテンツを放送する送信機であって、
前記コンテンツに、前記コンテンツと同じまたは関連性がある他のコンテンツの放送に前記特定のチャネルと並行して供される他のチャネルと、前記特定のチャネルとに個別に付与されたユニークな素数の積の通知または掲載を行うウェブサイトのＵＲＬを多重化して、前記特定のチャネルを介した放送の対象とする多重化手段を備えた
ことを特徴とする送信機。
【発明の詳細な説明】
【技術分野】
【０００１】
本発明は、デジタル伝送系やデジタル放送系において、所定のチャネルを介してコンテンツを送信する送信機に関する。
【背景技術】
【０００２】
地上波デジタル放送の受信に供される受信機には、同一系列の放送局の情報が既知の情報として組み込まれ、例えば、受信波のレベルや伝送品質が規定の閾値を下回ったときに、このような既知情報を参照して同一の系列の放送局に割り付けられた他のチャネルを識別し、そのチャネルを介して到来する受信波を受信することにより、所望の番組の視聴の継続を可能とするものがある。
【０００３】
なお、本発明に関連する先行技術としては、以下に列記する特許文献１ないし特許文献４があった。
(1) 「パケット送信機器とパケット受信機器の間でデータのパケット通信を行なうパケット送受信システムにおけるパケット送信機器であって、前記パケット送信機器は、ＡＶデータと非ＡＶデータとをそれぞれ入力するデータ入力手段と、前記データ入力手段の出力を入力し、規定の送受信条件により、暗号化または暗号化情報ヘッダー付加の実行を行う暗号化データ生成手段と、パケットヘッダー付加手段とを具備し、前記暗号化データ生成手段は、認証処理を含む制御手段と暗号化手段と暗号化情報ヘッダー付加手段を具備し、前記非ＡＶデータは前記ＡＶデータのコピー制御情報、およびフォーマット情報を含み、前記コピー制御情報およびフォーマット情報より、前記暗号化手段において暗号化の制御、または、前記暗号化情報ヘッダー付加手段において暗号化情報ヘッダー付加を行うか行わないかの制御の少なくとも一方の制御を行う手段とを具備する」ことにより、「デジタル放送やＤＶＤディスクなどの著作権保護されたＭＰＥＧなどのＡＶコンテンツを、そのフォーマット情報やコピー制御情報を継承しつつ、ＩＰネットワーク上で秘匿性を守って伝送する手段を実現する」点に特徴があるパケット送信機器…特許文献１
【０００４】
(2) 「地上波デジタルテレビ放送を受信する装置であって、受信信号から指定されたチャネルの信号を選択して出力するチューナーと、前記チューナーが出力した信号から、ＩＳＤＢ−Ｔ規格における受信信号のモード種別を検出するモード検出回路と、前記チューナーおよび前記モード検出回路を制御する制御部とを備え、前記制御部は、前記モード検出回路においてモード種別が検出されたことを示す情報を取得することにより、現在前記チューナーから出力されている信号の周波数帯に放送信号が存在することを示す情報を記憶手段に格納する」ことにより、「チャネルサーチ時間を短縮させる」点に特徴があるデジタル放送受信装置…特許文献２
【０００５】
(3) 「同一のコンテンツが品質の異なる複数の階層の信号として送信されるデジタル放送信号を受信し、前記複数の階層の信号をそれぞれ信号処理手段で処理して生成された複数の出力信号のうち、選択された階層の信号に基づく前記出力信号を出力するデジタル放送受信装置に用いられ、前記複数の階層の信号についての受信状況を判定して前記出力信号を生成する階層を選択し、前記選択された階層の信号を出力するための切替信号を生成するとともに、選択されなかった階層の信号を処理する前記信号処理手段の一部または全部を停止させる切替制御手段と、前記切替信号にしたがって出力信号を切り替える出力切替手段とを備える」ことにより、「映像や音声をとぎれることなく切り替えでき、加えて消費電力の低減を実現できる」点に特徴があるデジタル放送受信回路…特許文献３
【０００６】
(4) 「テレビ受信装置を遠隔操作することができる携帯電話機において、前記テレビ受信装置の番組を選択する数字キーと、所定の地域における第１の放送事業者と、前記第１の放送事業者に対して割り付けられた第１のリモコン番号とを関連付ける第１のチャネルリストを登録するチャネルリスト登録部と、前記テレビ受信装置を視聴しようとする地域における第２の放送事業者と、前記第２の放送事業者に対して割り付けられた第２のリモコン番号とを関連付ける第２のチャネルリストを生成するチャネルリスト生成部と、登録された前記第１のチャネルリストの第１の放送事業者と生成された前記第２のチャネルリストの第２の放送事業者とを照合し、前記第２の放送事業者と前記第１の放送事業者とが同一の放送事業者である場合、或いは前記第２の放送事業者と前記第１の放送事業者とが同じ内容の番組を放送しうる関係にある場合に、前記第１のリモコン番号を前記第２のリモコン番号に変換する照合変換部と、前記第１のリモコン番号に対応する前記数字キーが押下されたときに、前記第１のリモコン番号から変換された前記第２のリモコン番号に基づく番組選択信号を、前記テレビ受信装置に送信する送信部とを備える」ことにより、「全国どの地域においても同一系列、或いは同一の放送事業者が放送する番組は同じリモコン番号で選択することができる」点に特徴がある携帯電話機…特許文献４
【０００７】
(5) 「地上デジタルテレビ放送局から放送された複数セグメント放送とワンセグメント放送の両者が受信可能で、ＴＶ放送またはデータ放送の映像・音声信号を受信する受信手段と、受信した映像・音声信号に基づき映像・音声を出力する出力手段と、受信信号から緊急警報放送の開始を検出する緊急警報放送開始検出手段と、受信信号から緊急警報放選局情報を抽出する抽出手段と、緊急警報信号が検出されると緊急警報放送選局情報に基づき受信手段に対し選局制御を行なって緊急警報放送を受信させる受信制御手段と、を備えた緊急警報放送受信機能付受信機において、受信制御手段は、緊急警報放送の選局制御をする際、選局先の地上デジタルテレビ放送局がワンセグメント放送を放送中のときは、受信手段にワンセグメント放送を優先して受信させるようにした」ことにより、「災害情報をより確実に入手できる」点に特徴がある緊急警報放送受信機能付受信機…特許文献５
【先行技術文献】
【特許文献】
【０００８】
【特許文献１】特開２００５−２５２７７３号公報
【特許文献２】特開２００５−３４８０１８号公報
【特許文献３】特開２００８−１９３６５４号公報
【特許文献４】特開２００８−２７８４１３号公報
【特許文献５】特開２００９−０４４４５３号公報
【発明の概要】
【発明が解決しようとする課題】
【０００９】
ところで、上述した従来例では、受信波のレベルや伝送品質の低下に起因して視聴が困難となった番組は、その番組の配信元と同一系列の放送局に割り付けられた他のチャネルにおいて同じ番組が放送されているとは限らないために、所望の番組の視聴の継続が必ずしも可能ではなかった。
【００１０】
なお、このような番組の視聴の継続は、例えば、受信機が切替可能なチャネルの全てに対応したビットの列であって、並行して同じ番組の放送に供されているチャネルに対応したビットのみの論理値が「１」に設定された制御情報が該当する番組のコンテンツに多重化されて伝送され、受信機において、その制御情報に含まれるビットの内、論理値が「１」であるビットに対応するチャネルを代替のチャネルとする技術によって実現可能である。
【００１１】
しかし、このような技術は、例えば、地上波デジタル放送においては、受信機が切替えて受信可能であるべきチャネルの総数が数百ないし千と多数であるために、上記コンテンツに多重化されて伝送可能な制御情報の情報量や伝送速度の制約に阻まれ、実際には適用できない場合が多かった。
【００１２】
本発明は、ハードウェアの構成と既存の伝送方式との何れにも変更を伴うことなく、所望のコンテンツの視聴に供される受信機に対して、そのコンテンツと同じであったり関連性があるコンテンツの冗長な伝送に供されているチャネルを通知できる送信機を提供することを目的とする。
【課題を解決するための手段】
【００１３】
請求項１に記載の発明では、特定のチャネルを介してコンテンツを放送する送信機において、多重化手段は、前記コンテンツに、前記コンテンツと同じまたは関連性がある他のコンテンツの放送に前記特定のチャネルと並行して供される他のチャネルに個別に付与されたユニークな素数の積を多重化して、前記特定のチャネルを介した放送の対象とする。
【００１４】
このような素数の積は、本発明が適用された伝送系や放送系に備えられる全てのチャネルの内、上記他のチャネルとして適用され得るチャネルの比率が数パーセント以内である場合には、一般に、その全てのチャネルに対応付けられたユニークなビットの列に比べて短い語で表すことが可能である。
【００１５】
請求項２に記載の発明では、特定のチャネルを介してコンテンツを放送する送信機において、多重化手段は、前記コンテンツに、前記コンテンツと同じまたは関連性がある他のコンテンツの放送に前記特定のチャネルと並行して供される他のチャネルと、前記特定のチャネルとに個別に付与されたユニークな素数の積を多重化して、前記特定のチャネルを介した放送の対象とする。
【００１６】
このような素数の積は、本発明が適用された伝送系や放送系に備えられる全てのチャネルの内、上記他のチャネルとして適用され得るチャネルの比率が数パーセント以内である場合には、一般に、その全てのチャネルに対応付けられたユニークなビットの列に比べて短い語で表すことが可能である。
【００２１】
請求項３に記載の発明では、特定のチャネルを介してコンテンツを放送する送信機において、多重化手段は、前記コンテンツに、前記コンテンツと同じまたは関連性がある他のコンテンツの放送に前記特定のチャネルと並行して供される他のチャネルに個別に付与されたユニークな素数の積の通知または掲載を行うウェブサイトのＵＲＬを多重化して、前記特定のチャネルを介した放送の対象とする。
【００２２】
このようなＵＲＬは、本発明が適用された伝送系や放送系に備えられる全てのチャネルの数が大きいほど、一般に、これらの全てのチャネルに対応付けられたユニークなビットの列に比べて短い語で表すことが可能である。
【００２３】
請求項４に記載の発明では、特定のチャネルを介してコンテンツを放送する送信機において、多重化手段は、前記コンテンツに、前記コンテンツと同じまたは関連性がある他のコンテンツの放送に前記特定のチャネルと並行して供される他のチャネルと、前記特定のチャネルとに個別に付与されたユニークな素数の積の通知または掲載を行うウェブサイトのＵＲＬを多重化して、前記特定のチャネルを介した放送の対象とする。
【００２４】
このようなＵＲＬは、本発明が適用された伝送系や放送系に備えられる全てのチャネルの数が大きいほど、一般に、これらの全てのチャネルに対応付けられたユニークなビットの列に比べて短い語で表すことが可能である。
【発明の効果】
【００２５】
本発明が適用された伝送系や放送系では、既存の伝送方式の制約に阻まれることなく、個々のチャネルを介して伝送されるコンテンツの視聴に供される受信機や端末に対して、そのコンテンツと同じまたは関連性があるコンテンツの並行した伝送に供されているチャネルを確度高く通知することができる。
【００２６】
また、本発明が適用された伝送系や放送系の特定のチャネルを介して伝送されているコンテンツの視聴に供されている受信機では、その特定のチャネルを介する受信の継続が阻まれる何らかの要因が生じた場合であっても、既存の伝送方式が変更されることなく、しかも、ハードウェアの構成が複雑化することなく、このような特定のチャネルを介して該当するコンテンツに多重化された素数の積の素因数に対応する何らかのチャネルを介して並行伝送され、かつ該当するコンテンツと同じまたは関連性がある代替のコンテンツの継続した視聴に供され得る。
【００２７】
したがって、本発明によれば、ハードウェアの構成の複雑化とコストの増加とが大幅に生じることなく、個々のコンテンツの冗長かつ安定な提供が実現される。
【図面の簡単な説明】
【００２８】
【図１】本発明の一実施形態を示す図である。
【図２】本実施形態においてサーバが行う処理のフローチャートである。
【図３】本実施形態における端末の動作フローチャートである。
【図４】本実施形態におけるＴＳの構成を示す図である。
【図５】本実施形態が適用されたデータ放送に対する積Ｐｏの多重化の一形態を示す図である。
【発明を実施するための形態】
【００２９】
以下、図面に基づいて本発明の実施形態について詳細に説明する。
図１は、本発明の一実施形態を示す図である。
図において、地上波デジタル放送の視聴が可能である地域Ｚ１〜Ｚｎには、個別に送信機１０-1〜１０-nが設置され、かつ地上波デジタル放送の受信機が位置する。なお、以下では、このような受信機については、「端末」と称し、何れも同じ機能および性能を備えると前提の下で、添え番号を含まない符号「２０」を付与することとする。
【００３０】
送信機１０-1は、以下の要素から構成される。
(1) 図示されないコンテンツサーバから番組コンテンツである映像および音声が与えられるエンコーダ１１-1
【００３１】
(2) そのエンコーダ１１-1の後段に配置され、かつインタネット３０に接続された通信ポートを有する多重化部１２-1
(3) 多重化部１２-1の後段に配置され、かつ送信用のアンテナ１３-1の給電点に接続された送信部１４-1
【００３２】
なお、送信機１０-2〜１０-nの構成については、送信機１０-1の構成と同じであるので、以下では、図示および記述を省略する。
上記インタネット３０には、サーバ４０が接続される。
【００３３】
図２は、本実施形態においてサーバが行う処理のフローチャートである。
図３は、本実施形態における端末の動作フローチャートである。
以下、図１〜図３を参照して本実施形態の動作を説明する。
【００３４】
まず、各部の基本的な動作を説明する。なお、以下では、地域Ｚ１〜Ｚｎ（送信機１０-1〜１０-n）に共通の事項については、添え番号「１」〜「ｎ」の何れにも該当し得ることを意味する添え文字「ｃ」を該当する構成要素の符号に付与して記述する。
エンコーダ１１-cは、コンテンツサーバから番組コンテンツとして与えられる映像および音声を圧縮する。
【００３５】
多重化部１２-cは、サーバ４０からインタネット３０を介して通知される制御情報を上記圧縮された映像および音声に多重化する（図４(1))ことにより、端末２０宛に無線伝送されるべきトランスポートストリーム（以下、「ＴＳ」という。）（図４(2))を生成する。送信部１４-cは、このようにして生成されたＴＳでデジタル変調された放送波を生成し、アンテナ１３-cを介して地域Ｚｃに放射する。なお、ＴＳに備えられたコンテナには、上記映像および音声に併せて、例えば、字幕放送、データ放送、番組情報、暗号キー等の多用なコンテンツや情報が配置される。
【００３６】
一方、端末２０は、その端末２０の操作者が与える指示、またはこの端末２０に備えられたプロセッサ（図示されない。）の主導の下で与えられる指示に応じて、所望の番組の視聴に供される。
【００３７】
本発明の特徴は、本実施形態では、以下の点にある。
(1) 上記番組コンテンツに多重化される制御情報の内容および形式
(2) その制御情報の生成のためにサーバ４０によって行われる処理の手順
(3) 端末２０に備えられた既述のプロセッサがこのような制御情報を参照することにより行う処理の手順
【００３８】
サーバ４０は、地域Ｚ１〜Ｚｎ（送信機１０-1〜１０-n）の何れについても、以下の処理を行うことにより、該当するゾーンＺｃで放送に供されるチャネルＣｏに個別に適した情報として上記制御情報を生成する。
【００３９】
(1) 該当するゾーンＺｃにおいて上記チャネルＣｏを介して放送される番組（コンテンツ）が並行して送信されるべきチャネルＣ１〜Ｃｋを特定する（図２ステップＳ１）。
(2) 上記チャネルＣｏに対してこれらのチャネルＣ１〜Ｃｋが一義的に定まり、かつ上記チャネルＣ１〜Ｃｋに個別に割り付けられたユニークな素数ｐ１〜ｐｋを求める（図２ステップＳ２）。
【００４０】
(3) これらの素数ｐ１〜ｐｋの積Ｐｏを求める（図２ステップＳ３）。
(4) インタネット３０を介して送信機１０-c宛に、所定の周期や頻度で（少なくとも、上記チャネルＣ１〜Ｃｋの増減や変更が生じる度に）、その積Ｐｏ（チャネルＣｏの識別子を含む。）を送信する（図２ステップＳ４）。
【００４１】
送信機１０-cに備えられた多重化部１２-cは、このようにして積Ｐｏがサーバ４０から引き渡されると、その積Ｐｏに含まれる識別子で示されるチャネルＣｏを介して放送されるべき映像および音声（何れも圧縮されている。）に多重化されるべき制御情報に、その積Ｐｏを多重化して盛り込む（図４(3))。
【００４２】
したがって、地域ＺｃにおいてチャネルＣｏを介して端末２０宛に無線伝送されるＴＳには、制御情報として上記積Ｐｏが含まれる。
【００４３】
一方、端末２０では、上記チャネルＣｏを介して受信された番組（以下、このような番組のＴＳに多重化された番組情報で示される番組識別子を「ＩＤｏ」と表記する。）が視聴の対象となっている状態では、そのチャネルＣｏを介して受信された制御情報に含まれる積Ｐｏを所定の頻度や周期で抽出し、このようなチャネルＣｏを介して受信されたＴＳの伝送品質（受信波のレベルであってもよい。）を監視する。
【００４４】
さらに、端末２０は、このような監視の下で伝送品質が規定の下限値を下回る程度に低下したか否かを判別し（図３ステップＳ１）、送信機１０-c（アンテナ１３-c）との間に形成される無線伝送路の伝搬損失の増加、干渉波や妨害波の到来、端末２０の移動等に起因して、その伝送品質が下限値Ｕを下回った場合には、以下の処理を行う。
【００４５】
(1) 先行して正常に受信された最新の積Ｐｏの素因数ｐ１〜ｐｋを求め（図３ステップＳ２）、これらの素因数ｐ１〜ｐｋにそれぞれ対応したチャネルＣ１〜Ｃｋを特定する（図３ステップＳ３）。
【００４６】
(2) このようにして特定されたチャネルＣ１〜Ｃｋの内、以下の要件(2-1)〜(2-5)の全てまたは一部を満たす代替チャネルＣｏｓを選定する（図３ステップＳ４）。
(2-1) 伝送品質（受信波のレベルであってもよい。）が規定の閾値ｔｈ（＞Ｕ）以上である。
(2-2) 伝送品質（受信波のレベルであってもよい。）が最良である。
【００４７】
(2-3) 多重化されて受信された番組識別子が既述のＩＤｏに等しい。
(2-4) 多重化されて受信された番組識別子が既述のＩＤｏに対して所定の関連性を意味する。
(2-5) 伝送速度が最大である。
【００４８】
(3) チャネルＣｏを介して受信されている番組および制御情報に代えて、上記代替チャネルＣｏｓを介して受信される番組および制御情報を採用する（図３ステップＳ５）。なお、これらのチャネルＣｏ、Ｃｏｓについては、何れも、該当するチャネルが形成（配置）される無線周波数（帯）と、その無線周波数（帯）が区分されてなるセグメントとの双方を示す情報の集合として表され、かつ識別される。
【００４９】
ところで、上記素数ｐ１〜ｐｋまたは積Ｐｏの情報量の比率については、一般に、該当する放送系や伝送系で総合的に採用され得る物理的なチャネルの総数が大きく、かつ同一または関連する放送のために適用され得るチャネルの数が少ないほど小さな値となる。なお、このような関連する放送には、例えば、異なる放送事業者によって並行して行われる競馬その他の特定のイベントの実況中継が該当する。
【００５０】
例えば、本願の出願人が行ったシミュレーションの結果によれば、該当する放送系や伝送系に割り付けられる無線周波数帯の数が「５０」であり、これらの周波数帯の何れもが１３セグメントに区分されると共に、個々のセグメントが個別に所望の番組の伝送に適用される場合には、セグメントの総数「６５０」（＝１３×５０）の内、約３パーセントに相当する２０セグメントで同一（または関連する）番組が並行して伝送されるため、上記情報量は、これらの６５０セグメントに個別に対応した６５０ビット長のビット列に比べて大幅に少ない８４ビット程度に抑えられる。
【００５１】
また、このような情報量は、同一（または関連する）番組が並行して伝送されるセグメントの数が３２セグメント（約５パーセントに相当する。）であっても、許容可能な程度に短い語長に抑えられる。
【００５２】
さらに、上記情報量は、上記積Ｐｏが整数で表される場合には、以下の何れかの形態で表記されることにより、さらなる削減が可能となる。
【００５３】
(1) 該当する整数の各桁が１６進数や６２（数字「０」〜「９」と、大文字および小文字のアルファベット５２文字の総数）進数として表される。
(2) 上記整数が所定数のバイトからなる固定長のバイナリデータで表される。
(3) 上記整数が「所定数のバイト列からなり、かつ有効な語長を示すバイナリデータを含むバイナリデータ」で表される。
【００５４】
ただし、上記(2)，(3)は、コンテンツとして文字情報が含まれ得ない番組の伝送には適さない。
【００５５】
すなわち、端末２０では、放送方式の基本的な変更と、その方式によって達成されるべき伝送速度の過度の低下との何れもが生じることなく、伝送容量の余剰分が活用され、伝送品質の低下等に起因して視聴が困難となった放送の受信に供されていたチャネルＣｏの代替チャネルＣｏｓが自動的に選定され、かつ適用される。
【００５６】
したがって、本実施形態によれば、緊急放送だけではなく、視聴中に何らかの原因により伝送品質が低下した同じ（または関連する）番組の視聴の継続が可能となる。
【００５７】
なお、本実施形態では、積Ｐｏの素因数ｐ１〜ｐｋを求め、これらの素因数ｐ１〜ｐｋにそれぞれ対応したチャネルＣ１〜Ｃｋを特定する処理は、例えば、積Ｐｏに対応したチャネルＣ１〜Ｃｋが予め登録されたテーブルを参照する処理として、素因数分解等を行うことなく簡便に実現されてもよい。このようなテーブルは、必ずしも送信機１０-cに備えられなくてもよく、例えば、インタネット等の通信路を介して外部のウェブサイトやデータベースから適宜通知された情報が蓄積される記憶装置上に配置されてもよい。
【００５８】
また、本実施形態では、積Ｐｏの素因数ｐ１〜ｐｋを求める処理は、以下のアルゴリズムの何れで行われてもよい。
(1) 素数が予め登録された素数表（端末２０に予め組み込まれ、あるいは端末２０が何らかの通信手段を介して適宜参照可能に構成されてもよい。）を適宜参照して行われるアルゴリズム
(2) 積Ｐｏの平方根より小さい整数ｘ（≧２）を求め、「２」から昇順にｘに至る整数を除数とする除算を単純に試行するアルゴリズム
【００５９】
さらに、本実施形態では、ＴＳには、多用な数のセグメント（例えば、１２セグメント、４セグメント、１セグメント）を介して送信されるべき所望の数の画像が多重化されてもよい。
【００６０】
また、本実施形態では、ＴＳの構成および内容は、必ずしも地上波デジタル放送方式等のデジタル放送（ＩＳＤＢ：Integrated Services Digital Broadcasting）に準拠したものに限定されず、例えば、海外で採用されているＤＶＢ規格やＡＴＳＣ規格に準拠したものであっても、本発明は同様に適用可能である。
【００６１】
さらに、本実施形態では、積Ｐｏは、既述の制御情報の既定のフィールドに配置されることによって端末２０に引き渡されている。
【００６２】
しかし、このような積Ｐｏは、例えば、本発明がエリアワンセグのデータ放送に適用される場合には、以下の何れの形態で端末２０に引き渡されてもよい。
【００６３】
(1) 図５にハンチングを付して示す「１１５」（＝素数「２３」×素数「５」）のように、データ放送の「meta」タグに埋め込まれた文字情報
(2) データ放送の背景色と色が同じであり、そのデータ放送のコンテンツとして伝送される文字情報
【００６４】
(3) 上記積Ｐｏが掲載されたウェブページ（または、積Ｐｏをウェブサービスとして提供するウェブサイト）のＵＲＬを示し、かつデータ放送のコンテンツとして伝送される文字情報
【００６５】
また、本実施形態では、端末２０に２つのチューナが搭載されている場合には、これらのチューナの一方は、既述のチャネルＣｏを介して受信される放送の視聴に供され、かつ他方は、所定の頻度（周期）による既述の代替チャネルＣｏｓの選定に適用されることによって、視聴が困難となった放送の視聴の円滑（迅速）な継続の実現に活用されてもよい。
【００６６】
さらに、本実施形態では、個別にワンセグ放送に供される複数のセグメントが所定の帯域の周波数軸上に隣接してあるいは所定の間隔でそれぞれ配置される「束セグ」や「バラセグ」によるエリアワンセグ放送にも、同様に適用可能である。
【００６７】
また、本発明は、デジタル放送系に限定されず、例えば、以下の用途にも同様に適用可能である。
【００６８】
(1) インタネットを介して行われるUSTREAM等のライブビデオストリーミングにおける配信元の障害や伝送路の輻輳等に応じた代替系への切り替え
(2) ウェブサーバの故障や過負荷（伝送路の輻輳を含む）に応じて行われる異なるウェブサイトによる代替や負荷分散
【００６９】
さらに、本発明が上記ライブビデオストリーミングに適用される場合には、積Ｐｏは、以下の形態で端末２０に引き渡されてもよい。
【００７０】
(1) 配信対象のビデオコンテンツ（番組）のＵＲＬで示されるウェブサイトから引き渡されるＨＴＭＬ等に含まれる「meta」タグ等の特定のタグに埋め込まれる。
(2) 上記ＨＴＭＬ等の所定の部位に、その部位の背景色と同じ色の文字情報として埋め込まれる。
【００７１】
(3) 上記ＨＴＭＬ等に含まれる特定のＵＲＬで示されるウエブサイトやウェブサイトのコンテンツとして提供される。
(4) 上記ＵＲＬの特定の部位に、暗号化や圧縮等の処理が施されて、あるいは直接埋め込まれる。
【００７２】
また、本発明は、代替の放送やコンテンツによる視聴の継続に限らず、例えば、以下に列記するように、予め決められた手順に基づいて、あるいは任意の順序で選択されるべき情報の提供にも、同様に適用可能である。
【００７３】
(1) 新幹線等の列車毎に通知されるべきグリーン車、食堂車等の特定の車両の号車番号
(2) 航空機の便毎に通知されるべきファーストクラスやビジネスクラスの座席番号
(3) 複数のスイッチ等からなる操作部について通知されるべき事項であって、例えば、オンやオフに設定されるべき項目（その項目に対応する操作部の識別子等であってもよい。）
【００７４】
さらに、積Ｐｏは、代替チャネルＣｏｓの候補を素因数ｐ１〜ｐｋとして示すためだけではなく、例えば、以下の基準を満たすか否かに応じて伝送誤りの（有無の）検出に適用されてもよい。
【００７５】
(1) 積Ｐｏの素因数分解によって得られた素因数が重複していない。
(2) 積Ｐｏが既定の値域内にあるか否か。
(3) 積Ｐｏが既述のテーブルに登録されているか否か。
(4) 積Ｐｏの素因数が既定の値域内にあるか否か。
【００７６】
また、本実施形態では、積Ｐｏと、その積Ｐｏに基づいて代替チャネルＣｏｓを求めるために適用されるべき基準（上記テーブルも含む。）とは、必ずしも一定でなくてもよく、以下の形態で適宜更新されてもよい。
【００７７】
(1) 積Ｐｏや上記基準が端末２０の移動等に応じて変化し得る場合、既述の伝送品質が下限値Ｕを下回り、あるいは受信波のレベルが閾値を下回ったときに、良好な伝送品質で受信が可能な他のチャネルを介して引き渡される積Ｐｏその他の制御情報に基づいて更新される。
【００７８】
(2) 送信機１０-cによって行われるべき番組の配信スケジュールの変更に応じて変化し得る場合、先行して正常に引き渡されていた積Ｐｏと、最新に受信された積Ｐｏ′とが異なるときに、積Ｐｏをその積Ｐｏ′で代替し、かつ上記基準を新たな積Ｐｏに適合した基準に更新する。
【００７９】
さらに、本実施形態では、既述の積Ｐｏに応じて端末２０（に備えられたプロセッサ）が行う処理には、以下の処理(1)，(2)の双方または何れか一方が含まれてもよい。
【００８０】
(1) 積Ｐｏが「０」である場合には、チャネルＣｏを介して放送されている番組と同じ番組と、関連する番組との双方もしくは何れか一方が無いと解し、既述の処理の内、関連する処理を省略する。
【００８１】
(2) 積Ｐｏが「１」である場合には、チャネルＣｏと同じ周波数（帯）または他の全ての周波数（帯）に配置された全てのチャネル（セグメント）で同じ番組が放送されていると解し、これを前提として、例えば、代替チャネルＣｏｓとして伝送品質や受信電界強度が最大であるチャネルを選択することにより、その代替チャネルＣｏｓを特定する処理の簡略化および効率化を実現する。なお、このような場合、チャネルＣｏを介して積Ｐｏを正常に受信できない状況では、その積Ｐｏは、伝送品質が所定の閾値を上回る他のチャネルを介して受信された積Ｐｏで代替されてもよい。
【００８２】
また、本実施形態では、既述のチャネルＣｏには、積Ｐｏの素因数ｐ１〜ｐｋの何れもが付与されていなくてもよい。
【００８３】
さらに、本発明のハードウェアの構成と、個々のハードウェアによる連係（機能および負荷の分散）の形態とについては、図１および既述の態様に限定されず、等価な作用効果をそうするならば、如何なるものであってもよい。
【００８４】
また、本実施形態では、チャネルＣｏｓを介して伝送されている番組（コンテンツ）と、チャネルＣｏを介して伝送されている番組（コンテンツ）との異同あるいは関連性を示す情報が既述の積Ｐｏと共に多重化されてそのチャネルＣｏを介して伝送されることによって、受信機２０がその情報を取得してユーザ等に適切な形態で提供することにより、サービス品質やユーザビリティの向上が図られてもよい。
【００８５】
さらに、本発明は、上述した実施形態に限定されず、本発明の範囲において多様な実施形態の構成が可能であり、構成要素の全てまたは一部に如何なる改良が施されてもよい。
【００８６】
以下、本願に開示された発明の内、「特許請求の範囲」に記載しなかった発明を「特許請求の範囲」、「課題を解決するための手段」および「発明の効果」の欄の記載に準じた様式により列記する。
【００８７】
［請求項５］  請求項１ないし４の何れか１項に記載の送信機において、
前記素数の積は、
前記コンテンツの伝送に供される伝送方式の下で伝送可能な符号語の態様の総数に等しい進数で表される
ことを特徴とする送信機。
【００８８】
このような構成の送信機では、請求項１ないし４の何れか１項に記載の送信機において、前記素数の積は、前記コンテンツの伝送に供される伝送方式の下で伝送可能な符号語の態様の総数に等しい進数で表される。
【００８９】
すなわち、コンテンツに多重化され、そのコンテンツと同じまたは関連性があるコンテンツの並行伝送に供されている他のチャネルに個別に付与されたユニークな素数およびこれらの素数の積は、上記進数が大きいほど短い語長で表される。
【００９０】
したがって、本発明が適用された伝送系や放送系では、その系に適用された伝送方式の余剰の伝送容量がより効率的に利用され、冗長なコンテンツの複数のチャネルを介する並行伝送と、このような冗長なコンテンツの端末に対する柔軟な提供とが実現される。
【００９１】
［請求項６］  請求項１ないし４の何れか１項に記載の送信機において、
前記多重化手段は、
前記コンテンツの見かけまたは視聴に影響を及ぼさない情報として、前記他のコンテンツに前記素数の積を多重化する
ことを特徴とする送信機。
【００９２】
このような構成の送信機では、請求項１ないし４の何れか１項に記載の送信機において、前記多重化手段は、前記コンテンツの見かけまたは視聴に影響を及ぼさない情報として、前記他のコンテンツに前記素数の積を多重化する。
【００９３】
すなわち、特定のチャネルを介して伝送されているコンテンツと同じまたは関連性があるコンテンツの並行伝送に供されている他のチャネルに付与されたユニークな素数の積は、これらのコンテンツに埋め込まれて伝送されるにもかかわらず、該当するコンテンツの品質が低下する要因とはならない。
【００９４】
したがって、本発明が適用された伝送系や放送系では、その系に適用された伝送方式の余剰の伝送容量がより効率的に利用されることにより、複数のチャネルを介する冗長なコンテンツの並行伝送と、このような冗長なコンテンツの端末に対する柔軟な提供とが実現される。
【００９９】
［請求項７］  請求項１ないし４の何れか１項に記載の送信機において、
前記多重化手段は、
前記他のチャネルがないときに、前記素数の積として「０」を前記他のコンテンツに多重化する
ことを特徴とする送信機。
【０１００】
このような構成の送信機では、請求項１ないし４の何れか１項に記載の送信機において、前記多重化手段は、前記他のチャネルがないときに、前記素数の積として「０」を前記他のコンテンツに多重化する。
【０１０１】
すなわち、特定のチャネルを介して受信されたコンテンツの視聴に供されている受信機または端末では、上記素数の積が「０」である特異な状態を識別する処理の下で、特定のチャネルを介して伝送されているコンテンツと同じまたは関連性があるコンテンツの並行した伝送に供されている他のチャネルによるその特定のチャネルの代替を見合わせることが可能となる。
【０１０２】
したがって、特定のチャネルを介して伝送されている何れのコンテンツについても、該当するコンテンツと同じまたは関連性し、かつ他のチャネルを介して並行して伝送されているコンテンツの有無にかかわらず、同じ伝送形式による伝送が可能となる。
【０１０３】
［請求項８］  請求項１ないし４の何れか１項に記載の送信機において、
前記多重化手段は、
前記コンテンツと同じまたは関連性がある他のコンテンツの放送に前記他のチャネルの全てが供されるときに、前記素数の積として「１」を前記コンテンツに多重化する
ことを特徴とする送信機。
【０１０４】
このような構成の送信機では、請求項１ないし４の何れか１項に記載の送信機において、前記多重化手段は、前記コンテンツと同じまたは関連性がある他のコンテンツの放送に前記他のチャネルの全てが供されるときに、前記素数の積として「１」を前記コンテンツに多重化する。
【０１０５】
すなわち、特定のチャネルを介して受信されたコンテンツの視聴に供されている受信機または端末では、上記素数の積が「１」である特異な状態を識別する処理の下で、特定のチャネルを介して伝送されているコンテンツと同じまたは関連性があるコンテンツの並行伝送に供されている他のチャネルの全てが供されていることの識別が簡便に可能となる。
【０１０６】
したがって、特定のチャネルを介して伝送されている何れのコンテンツについても、該当するコンテンツと同じであったり関連性し、かつ他のチャネルを介して並行伝送されているコンテンツの有無にかかわらず、緊急情報等の円滑な一斉同報伝送に対する柔軟かつ速やかな適応が可能となる。
【０１０７】
［請求項９］  請求項１ないし請求項８の何れか１項に記載の送信機において、
前記多重化手段は、
前記コンテンツに、前記他のコンテンツとの異同または関連性を示す識別情報を多重化して前記放送の対象とする
ことを特徴とする送信機。
【０１０８】
このような構成の送信機では、請求項１ないし請求項８の何れか１項に記載の送信機において、多重化手段は、前記コンテンツに、前記他のコンテンツとの異同または関連性を示す識別情報を多重化して前記放送の対象とする。
【０１０９】
すなわち、特定のチャネルを介して受信されたコンテンツの視聴に供されている受信機または端末では、その特定のチャネルに代わるチャネルを介して受信されたコンテンツが先に受信されていたコンテンツと如何なる関係にあるかを識別することが可能となる。
【０１１０】
したがって、本発明が適用された系を介して提供されるコンテンツの視聴に供される受信機では、このようなコンテンツの提供にかかわるサービス品質やユーザビリティが向上する。
【符号の説明】
【０１１１】
１０  送信機
１１  エンコーダ
１２  多重化部
１３  アンテナ
１４  送信部
２０  端末
３０  インタネット
４０  サーバ
【図１】
0005871622.tif 000002
【図２】
0005871622.tif 000003
【図３】
0005871622.tif 000004
【図４】
0005871622.tif 000005
【図５】
0005871622.tif 000006